【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
インサート長手軸（Ａ）を有する切削インサート（２２）であって、
反対側にある前面（３４）および後面（３６）、ならびにそれらの間に延在する周囲面（２８）であって、前記周囲面（２８）が、反対側にある上面（３８）および下面（４０）を接続する反対側にある側面（２６）を含む、反対側にある前面（３４）および後面（３６）、ならびにそれらの間に延在する周囲面（２８）と、
横軸（Ｓ）に沿って前記側面（２６）を貫通するインサート通し穴（３０）と
を含み、
前記前面（３４）および前記上面（３８）が交差して主切れ刃（４２）を形成し、前記主切れ刃（４２）がそこから前記前面（３４）に延在する付随の逃げ面（４４）を有し、
前記側面（２６）の一方がインサート側部当接面（６０）を含み、
前記後面（３６）がインサート後部当接面（５０）を含み、
前記下面（４０）がインサート下部当接面（５２）を含み、および
前記インサート後部当接面（５０）および前記インサート下部当接面（５２）が互いに鈍角の当接角度（α）を形成し、
前記横軸（Ｓ）に沿った前記切削インサート（２２）の側面図において、前記逃げ面（４４）に対して接線の逃げ面線（ＬＲ）が前記インサート下部当接面（５２）と交差する、
切削インサート（２２）。
【請求項２】
前記鈍角の当接角度（α）が範囲１１０°≦α≦１２５°内である、請求項１に記載の切削インサート（２２）。
【請求項３】
前記インサート後部当接面（５０）および前記インサート下部当接面（５２）および前記インサート側部当接面（６０）が平坦である、請求項１または２に記載の切削インサート（２２）。
【請求項４】
前記横軸（Ｓ）に沿った前記切削インサート（２２）の側面図において、前記インサート長手軸（Ａ）に対して垂直に向けられ且つ前記主切れ刃（４２）を通過する主切れ刃線（ＬＣＥ）が、前記インサート下部当接面（５２）と交差する、請求項１〜３のいずれか一項に記載の切削インサート（２２）。
【請求項５】
前記横軸（Ｓ）に沿った前記切削インサート（２２）の側面図において、前記上面（３８）および前記下面（４０）が実質的に平行であり、および前記インサート長手軸（Ａ）に対して垂直に測定される切削インサート高さ（Ｈ）を画定する、請求項１〜４のいずれか一項に記載の切削インサート（２２）。
【請求項６】
前記切削インサート（２２）が、前記インサート長手軸（Ａ）の方向で測定される最大切削インサート長さ（Ｌ）を有し、
前記最大切削インサート長さＬが範囲Ｈ≦Ｌ≦２Ｈ内である、
請求項５に記載の切削インサート（２２）。
【請求項７】
前記横軸（Ｓ）に沿った前記切削インサート（２２）の側面図において、前記切削インサート高さ（Ｈ）より大きい半径（Ｒ）を有しおよびその円周（Ｃ）が前記インサート長手軸（Ａ）に対して垂直な円接線（ＬＴ）を有する円周地点（Ｅ）で前記主切れ刃（４２）と接触するように配置される仮想円（ＩＣ）が、前記前面（３４）と交差しない、請求項５または６に記載の切削インサート（２２）。
【請求項８】
前記横軸（Ｓ）に沿った前記切削インサート（２２）の側面図において、前記前面（３４）が前方凹部（５４）と、前方凸部（５６）と、それらの間に延在する前方直線部分（５８）とを含み、前記前方凹部（５４）が前記逃げ面（４４）に隣接して配置され、および前記前方凸部（５６）が前記下面（４０）に隣接して配置される、請求項１〜７のいずれか一項に記載の切削インサート（２２）。
【請求項９】
前記横軸（Ｓ）に沿った前記切削インサート（２２）の側面図において、前記逃げ面線（ＬＲ）が前記前方凹部（５４）の近くで前記前方直線部分（５８）と交差する、請求項８に記載の切削インサート（２２）。
【請求項１０】
前記横軸（Ｓ）に沿った前記切削インサート（２２）の側面図において、前記前方直線部分（５８）が前記インサート下部当接面（５２）に対して鋭角の前面角度（β）を形成する、請求項８または９に記載の切削インサート（２２）。
【請求項１１】
前記鋭角の前面角度βが範囲５５°≦β≦７０°内である、請求項１０に記載の切削インサート（２２）。
【請求項１２】
前記切削インサート（２２）が前記横軸（Ｓ）の周りで１８０°の回転対称を有する、請求項１に記載の切削インサート（２２）。
【請求項１３】
前記横軸（Ｓ）に沿った前記切削インサート（２２）の側面図において、
前記切削インサート（２２）が略平行四辺形の形状であり、
前記主切れ刃（４２）が前記切削インサート（２２）のインサート切削コーナー（６６）に配置される、
請求項１〜１２のいずれか一項に記載の切削インサート（２２）。
【請求項１４】
各側面（２６）が、前記上面（３８）と前記下面（４０）との間に延在し且つ側部隆起面（６４）から前記前面（３４）に向かって延在する側部第２逃げ面（６２）を含み、前記側部第２逃げ面（６２）が前記切削インサート（２２）の正面図において前記側部隆起面（６４）に対して窪んでいる、請求項１〜１３のいずれか一項に記載の切削インサート（２２）。
【請求項１５】
前記横軸（Ｓ）に沿った前記切削インサート（２２）の側面図において、前記側部隆起面（６４）に隣接する前記側部第２逃げ面（６２）の第２逃げ面境界（ＢＣＳ）が、各側面（２６）において、前記横軸（Ｓ）の方向に凸状である、請求項１４に記載の切削インサート（２２）。
【請求項１６】
ホルダ長手軸（Ｂ）を有するインサートホルダ（２４）と、
前記インサートホルダ（２４）に取外し可能に取り付けられる請求項１に記載の切削インサート（２２）と
を組み合わせて含む切削工具（２０）。
【請求項１７】
請求項１６に記載の切削工具（２０）であって、
前記インサートホルダ（２４）が、
ホルダ前端部面（７２）およびその周方向境界を形成するホルダ周囲面（７４）と、
前記ホルダ周囲面（７４）に凹設され且つ前記ホルダ前端部面（７２）に開口するインサートポケット（７６）と
を含み、前記インサートポケット（７６）が、
ポケット側面（７８）と、それに対して実質的に垂直に向けられたポケット周囲壁面（８０）とを含み、前記ポケット側面（７８）がポケット側部当接面（８２）を含み、および前記ポケット周囲壁面（８０）がポケット後部当接面（８６）とポケット下部当接面（８８）とを含み、前記切削工具（２０）の組立位置において、
前記ポケット下部当接面（８８）が前記インサート下部当接面（５２）と当接し、前記ポケット後部当接面（８６）が前記インサート後部当接面（５０）と当接し、および前記ポケット側部当接面（８２）が前記インサート側部当接面（６０）と当接する、切削工具（２０）。
【請求項１８】
前記横軸（Ｓ）に沿った前記切削工具（２０）の側面図において、前記逃げ面線（ＬＲ）が前記ポケット下部当接面（８８）と交差する、請求項１７に記載の切削工具（２０）。
【請求項１９】
前記横軸（Ｓ）に沿った前記切削工具（２０）の側面図において、前記インサート長手軸（Ａ）に対して垂直に向けられ且つ前記主切れ刃（４２）を通過する主切れ刃線（ＬＣＥ）が、前記ポケット下部当接面（８８）と交差する、請求項１７または１８に記載の切削工具（２０）。
【請求項２０】
各側面（２６）が、前記上面（３８）と前記下面（４０）との間に延在し且つ側部隆起面（６４）から前記前面（３４）に向かって延在する側部第２逃げ面（６２）を含み、前記側部第２逃げ面（６２）が前記切削インサート（２２）の正面図において前記側部隆起面（６４）に対して窪んでおり、
前記インサート側部当接面（６０）を含む前記側面（２６）を示す、前記横軸（Ｓ）に沿った前記切削工具（２０）の側面図において、前記ホルダ前端部面（７２）が前記側部第２逃げ面（６２）に重ならない、
請求項１７〜１９のいずれか一項に記載の切削工具（２０）。